(57)【要約】【課題】医療行為に対する医療従事者間の相互確認を支援することができる相互確認支援システムおよび相互確認支援方法を提供すること。【解決手段】相互確認支援システム１０は、管理サーバ３０と、複数の医療従事者に割り当てられ、相互にかつ管理サーバ３０と通信可能な複数の携帯端末４０と、を備え、管理サーバ３０は、複数の医療従事者に関する従事者情報を記憶した記憶部３２と、携帯端末４０からの相互確認要求および従事者情報に基づいて、複数の医療従事者の中から医療行為に対する相互確認を依頼する候補者を絞り込む候補者絞込部３３３と、複数の医療従事者のうちの相互確認要求者の携帯端末４０に候補者を通知する候補者通知部３３５と、を備えている。【選択図】図２
2016181131.tif 000002
【特許請求の範囲】
【請求項１】
管理サーバと、
複数の医療従事者に割り当てられ、相互にかつ前記管理サーバと通信可能な複数の携帯端末と、を備え、
前記管理サーバは、
前記複数の医療従事者に関する従事者情報を記憶した記憶部と、
前記携帯端末からの相互確認要求および前記従事者情報に基づいて、前記複数の医療従事者の中から医療行為に対する相互確認を依頼する候補者を絞り込む候補者絞込部と、
前記複数の医療従事者のうちの相互確認要求者の携帯端末に前記候補者を通知する候補者通知部と、を備えていることを特徴とする相互確認支援システム。
【請求項２】
前記管理サーバは、前記医療従事者の活動量を取得する活動量取得部を備え、
前記従事者情報は、前記活動量を含むことを特徴とする請求項１に記載の相互確認支援システム。
【請求項３】
前記管理サーバは、前記医療従事者の位置情報を取得する位置情報取得部を備え、
前記従事者情報は、前記位置情報を含むことを特徴とする請求項１または請求項２に記載の相互確認支援システム。
【請求項４】
前記管理サーバは、前記候補者の携帯端末に前記相互確認要求を受け入れるか否かを確認させる受入確認部を備えていることを特徴とする請求項１から請求項３のいずれか１項に記載の相互確認支援システム。
【請求項５】
前記候補者絞込部は、前記候補者の携帯端末から前記相互確認要求を受け入れないとの回答があった場合、再度候補者を絞り込むことを特徴とする請求項４に記載の相互確認支援システム。
【請求項６】
前記携帯端末は、前記管理サーバから前記医療行為に関する医療行為情報を取得する医療行為情報取得部を備え、
前記候補者絞込部は、前記相互確認要求者の携帯端末および前記候補者の携帯端末に前記医療行為情報を送信することを特徴とする請求項１から請求項５のいずれか１項に記載の相互確認支援システム。
【請求項７】
前記管理サーバは、前記相互確認要求者の携帯端末および前記候補者の携帯端末の少なくとも一方から確認結果が送られてこない場合、前記確認結果を送り返すように要求する確認結果要求部を備えていることを特徴とする請求項１から請求項６のいずれか１項に記載の相互確認支援システム。
【請求項８】
前記管理サーバは、前記相互確認要求者および前記候補者の確認結果を前記記憶部に記憶させることを特徴とする請求項１から請求項７のいずれか１項に記載の相互確認支援システム。
【請求項９】
複数の医療従事者に割り当てられた携帯端末からの相互確認要求および前記複数の医療従事者に関する従事者情報に基づいて、前記複数の医療従事者の中から医療行為に対する相互確認を依頼する候補者を絞り込む工程と、
前記複数の医療従事者のうちの相互確認要求者の携帯端末に前記候補者を通知する工程と、を備えていることを特徴とする相互確認支援方法。
【発明の詳細な説明】
【技術分野】
【０００１】
本発明は、相互確認支援システムおよび相互確認支援方法に関する。
【背景技術】
【０００２】
従来、医療行為に対する確認支援システムが知られている（例えば、特許文献１参照）。
特許文献１に記載の確認支援システムは、携帯型コンピュータに患者の看護計画を記憶させ、当該携帯型コンピュータに看護計画を表示させるように構成されている。これにより、医療従事者は、医療行為に対して、看護計画という客観的なデータに基づく確認をその場で行うことができる。
【先行技術文献】
【特許文献】
【０００３】
【特許文献１】特開２００２−２４３７６号公報
【発明の概要】
【発明が解決しようとする課題】
【０００４】
特許文献１に記載されたような従来の確認支援システムは、医療従事者に確認すべき情報を提供するものであり、医療従事者自身が誤りに気が付かなければ、十分な確認効果が得られないという問題がある。
一方、多くの医療施設では、確認精度を上げるために２人で間違いがない事を同時に確認する相互確認を行なっている。しかしながら、例えば、病棟勤務の看護師は多忙を極めているため、２人の看護師が同じ時刻に同じ場所に集まって相互確認を行う時間が取れず、仕方なく別時刻に１人ずつ確認を実施している実態がある。また、新人看護師の場合、新人看護師同士ではなく、先輩看護師と相互確認を行う必要があるが、多忙な先輩看護師と相互確認を行う時間が極めて取りにくく、結果的に十分な相互確認が実施されずに薬剤が投与されてしまうことがある。
【０００５】
本発明の目的は、医療行為に対する医療従事者間の相互確認を支援することができる相互確認支援システムおよび相互確認支援方法を提供することにある。
【課題を解決するための手段】
【０００６】
本発明の相互確認支援システムは、管理サーバと、複数の医療従事者に割り当てられ、相互にかつ前記管理サーバと通信可能な複数の携帯端末と、を備え、前記管理サーバは、前記複数の医療従事者に関する従事者情報を記憶した記憶部と、前記携帯端末からの相互確認要求および前記従事者情報に基づいて、前記複数の医療従事者の中から医療行為に対する相互確認を依頼する候補者を絞り込む候補者絞込部と、前記複数の医療従事者のうちの相互確認要求者の携帯端末に前記候補者を通知する候補者通知部と、を備えていることを特徴とする。
【０００７】
本発明によれば、相互確認を依頼する候補者を複数の医療従事者から絞り込み、当該候補者を相互確認要求者の携帯端末に通知するため、相互確認要求者は、候補者の絞込作業から解放され、候補者の携帯端末にアクセスするだけで相互確認を依頼することができる。従って、医療行為に対する医療従事者間の相互確認を支援することができる。
【０００８】
本発明の相互確認支援システムにおいて、前記管理サーバは、前記医療従事者の活動量を取得する活動量取得部を備え、前記従事者情報は、前記活動量を含むことが好ましい。
【０００９】
本発明によれば、従事者情報に医療従事者の活動量が含まれるため、当該活動量を考慮して候補者を絞り込むことができる。このため、活動量が多く、忙しそうな医療従事者を候補者から外しやすくすることができる。
【００１０】
本発明の相互確認支援システムにおいて、前記管理サーバは、前記医療従事者の位置情報を取得する位置情報取得部を備え、前記従事者情報は、前記位置情報を含むことが好ましい。
【００１１】
本発明によれば、従事者情報に医療従事者の位置情報が含まれるため、医療従事者がいる場所を考慮して候補者を絞り込むことができる。このため、病室で患者への医療行為や観察を行っているような医療従事者を候補者から外しやすくすることができる。
【００１２】
本発明の相互確認支援システムにおいて、前記管理サーバは、前記候補者の携帯端末に前記相互確認要求を受け入れるか否かを確認させる受入確認部を備えていることが好ましい。
【００１３】
本発明によれば、候補者の携帯端末に相互確認要求を受け入れるか否かを確認させるため、相互確認要求を受け入れる状況にない候補者に相互確認を依頼してしまうことを防止することができる。
【００１４】
本発明の相互確認支援システムにおいて、前記候補者絞込部は、前記候補者の携帯端末から前記相互確認要求を受け入れないとの回答があった場合、再度候補者を絞り込むことが好ましい。
【００１５】
本発明によれば、候補者から相互確認要求を受け入れないとの回答があった場合、再度候補者を絞り込むため、候補者を確実に絞り込むことができる。
【００１６】
本発明の相互確認支援システムにおいて、前記携帯端末は、前記管理サーバから前記医療行為に関する医療行為情報を取得する医療行為情報取得部を備え、前記候補者絞込部は、前記相互確認要求者の携帯端末および前記候補者の携帯端末に前記医療行為情報を送信することが好ましい。
【００１７】
本発明によれば、相互確認要求者および候補者のそれぞれの携帯端末に医療行為情報を送信するため、相互確認要求者および候補者は、医療行為情報を確認しながら確認を行うことができる。このため、相互確認の精度を確実なものとすることができる。
【００１８】
本発明の相互確認支援システムにおいて、前記管理サーバは、前記相互確認要求者の携帯端末および前記候補者の携帯端末の少なくとも一方から確認結果が送られてこない場合、前記確認結果を送り返すように要求する確認結果要求部を備えていることが好ましい。
【００１９】
本発明によれば、確認結果が送られてこない場合、確認結果を送り返すように要求するため、相互確認要求者および候補者に確実に確認を行わせることができる。
【００２０】
本発明の相互確認支援システムにおいて、前記管理サーバは、前記相互確認要求者および前記候補者の確認結果を前記記憶部に記憶させることが好ましい。
【００２１】
本発明によれば、相互確認要求者および候補者の確認結果を記憶部に記憶させるため、記憶された情報を交代勤務の引継ぎ、適切な人員配置、教育訓練資料等に活用することができる。
【００２２】
本発明の相互確認支援方法は、複数の医療従事者に割り当てられた携帯端末からの相互確認要求および前記複数の医療従事者に関する従事者情報に基づいて、前記複数の医療従事者の中から医療行為に対する相互確認を依頼する候補者を絞り込む工程と、前記複数の医療従事者のうちの相互確認要求者の携帯端末に前記候補者を通知する工程と、を備えていることを特徴とする。
【００２３】
本発明によれば、前述した相互確認支援システムと同様の効果を得ることができる。
【図面の簡単な説明】
【００２４】
【図１】本発明の一実施形態に係る相互確認支援システムの全体構成図。
【図２】相互確認支援システムのブロック図。
【図３】相互確認支援システムにおける処理手順を示すシーケンス図。
【図４】相互確認支援システムにおける処理手順を示すシーケンス図。
【発明を実施するための形態】
【００２５】
以下、本発明の一実施形態を図面に基づいて説明する。
図１において、相互確認支援システム１０は、院内サーバ２０、管理サーバ３０および複数の携帯端末４０を備えている。院内サーバ２０、管理サーバ３０および携帯端末４０は、院内のネットワーク１１に有線または無線で接続されている。
【００２６】
院内サーバ２０は、患者の年齢、性別および病状等の患者情報、患者に施す手術の術式および患者の処方箋等の医療行為情報、医療従事者の勤務スケジュール等、病院内の各種情報を記憶および管理する。院内サーバ２０は、医師、看護師、薬剤師等の医療従事者により、ネットワーク１１に接続された図示しないクライアント端末からアクセス可能に構成されている。
【００２７】
管理サーバ３０は、相互確認支援システム１０全体の管理を行う専用のサーバであり、ネットワーク１１を介して院内サーバ２０と通信可能に構成されている。この管理サーバ３０を置くことで、携帯端末４０が院内サーバ２０に直接アクセスしないシステム構成となり、院内サーバ２０へのアクセス量を抑制し、院内サーバ２０にかかる負荷を抑えることができる。
【００２８】
携帯端末４０は、医療従事者が携帯する端末であり、複数の医療従事者に割り当てられている。
本実施形態の場合、携帯端末４０は、図１に示すように、眼鏡タイプのウェアラブル端末であり、通話機能、メール送受信機能、内蔵された三次元加速度計による活動量測定機能を有している。
【００２９】
以上の相互確認支援システム１０では、携帯端末４０が相互に通信可能なため、医療従事者同士が互いの視覚や音声を共有することができる。このため、例えば、薬剤の前にいる医療従事者が見ている薬剤および当該医療従事者の音声が、薬剤の前にいない医療従事者の携帯端末４０に出力される。従って、医療従事者同士が同じ場所にいなくても、医療行為に対する相互確認を行うことができるようになっている。
【００３０】
図２は、相互確認支援システム１０のブロック図である。
図２において、管理サーバ３０は、通信制御部３１、記憶部３２および処理制御部３３を備えている。
通信制御部３１は、院内サーバ２０や携帯端末４０との通信を制御するように構成されている。
記憶部３２は、ＲＡＭ（Random Access Memory）等の記憶媒体で構成され、複数の医療従事者に関する従事者情報や病棟の地図を記憶している。
従事者情報は、医療従事者に割り当てられた携帯端末４０の識別情報、医療従事者の業務経験年数、医療従事者の活動量、医療従事者の位置情報を含む。
【００３１】
処理制御部３３は、活動量取得部３３１、位置情報取得部３３２、候補者絞込部３３３、受入確認部３３４、候補者通知部３３５および確認結果要求部３３６を備えている。
【００３２】
活動量取得部３３１は、医療従事者の活動量を取得するように構成されている。
本実施形態の場合、活動量取得部３３１は、携帯端末４０で測定された活動量を当該携帯端末４０から取得する。
【００３３】
位置情報取得部３３２は、医療従事者の位置情報を取得するように構成されている。
本実施形態の場合、位置情報取得部３３２は、病棟内の複数のアクセスポイントを用いた三角測量法により携帯端末４０の位置を特定し、予め記憶部３２に記憶しておいた病棟の地図にこの位置をマッピングさせることで、医療従事者の位置情報を取得する。
【００３４】
候補者絞込部３３３は、携帯端末４０からの相互確認要求および記憶部３２に記憶された従事者情報に基づいて、複数の医療従事者の中から医療行為に対する相互確認を依頼する候補者を絞り込むように構成されている。
本実施形態場合、候補者絞込部３３３は、以下の式１から医療従事者の優先度を算出し、優先度が高い者を候補者として絞り込む。また、候補者絞込部３３３は、業務経験年数に応じた医療従事者の組み合わせを考慮し、相互確認要求を行った医療従事者（以下、相互確認要求者）が業務経験の浅い医療従事者である場合、業務経験が浅い医療従事者を候補者として選ばないようになっている。
【００３５】
［式１］
優先度＝重み定数×経験定数÷活動定数・・・（１）
【００３６】
重み定数は、医療従事者がいる場所に応じて決定される。
本実施形態の場合、重み定数は、以下の表１に示すように定義されている。
【００３７】
【表１】
2016181131.tif 000003
【００３８】
経験定数は、医療従事者の業務経験年数に応じて決定される。
本実施形態の場合、経験定数は、相互確認要求者および候補者の業務経験年数によって決まり、以下の表２に示すように定義されている。表２において、経験分類は、医療従事者を業務経験年数によって分類したものであり、「新人」は業務経験年数が２年未満の者、「中堅」は業務経験年数が２年以上５年未満の者、「ベテラン」は業務経験年数が５年以上の者となっている。
【００３９】
【表２】
2016181131.tif 000004
【００４０】
活動定数は、医療従事者の活動量に応じて決定される。
本実施形態の場合、活動定数は、以下の表３に示すように定義されている。
【００４１】
【表３】
2016181131.tif 000005
【００４２】
上記重み定数、経験定数および活動定数の値や、それぞれの閾値は、医療従事者またはその責任者が自由に設定できるようになっている。
【００４３】
受入確認部３３４は、候補者の携帯端末４０に相互確認要求を受け入れるか否かを確認させるように構成されている。
本実施形態の場合、受入確認部３３４は、携帯端末４０に受入可否を確認するメールを送信したり、携帯端末４０に受入可否を確認する音声を出力させる指示を送ったりする。また、本実施形態の受入確認部３３４は、優先度の高い複数の候補者に相互確認要求を受け入れるか否かを確認する。
【００４４】
候補者通知部３３５は、複数の医療従事者のうちの相互確認要求者の携帯端末４０に候補者を通知するように構成されている。
本実施形態の場合、候補者通知部３３５は、携帯端末４０に候補者を通知するメールを送信したり、携帯端末４０に候補者を通知する音声を出力させる指示を送ったりする。
【００４５】
確認結果要求部３３６は、相互確認要求者の携帯端末４０および候補者の携帯端末４０の少なくとも一方から確認結果が送られてこない場合、確認結果を送り返すように要求する。
本実施形態の場合、確認結果要求部３３６は、携帯端末４０に確認結果を要求するメールを送信したり、携帯端末４０に確認結果を要求する音声を出力させる指示を送ったりする。
【００４６】
携帯端末４０は、通信制御部４１、画像取得部４２、音声取得部４３、表示部４４、入力解析部４５、音声出力部４６および処理制御部４７を備えている。
通信制御部４１は、管理サーバ３０および他の携帯端末４０との通信を制御するように構成されている。
画像取得部４２は、外部の画像を撮像し、当該画像を画像データとして取り込むように構成されている。
音声取得部４３は、外部の音声を取得し、当該音声を音声データとして取り込むように構成されている。
【００４７】
表示部４４は、通信制御部４１が取得した情報や、画像取得部４２で取得された画像を表示したり、医療従事者が画面入力操作を行ったりするためのものであり、例えば、液晶などを用いた表示パネルにより構成される。
入力解析部４５は、画像取得部４２、音声取得部４３および表示部４４のうちのどの構成から何が入力されたかを解析し、解析結果を処理制御部４７に送るように構成されている。
【００４８】
処理制御部４７は、入力解析部４５で解析された入力に対する処理を決定し、上記各部を制御するように構成されている。
処理制御部４７は、医療行為情報取得部４７１を備えている。
医療行為情報取得部４７１は、管理サーバ３０に薬剤の投与量等の医療行為情報を要求し、当該医療行為情報を相互確認要求者の携帯端末４０および候補者の携帯端末４０に送信するように構成されている。
【００４９】
以上の相互確認支援システム１０において、医療従事者間で医療行為に対する相互確認を行う手順について、図３および図４に基づいて説明する。
図３において、医療行為を行おうとしている医療従事者は、携帯端末４０を介して管理サーバ３０に相互確認要求を行う（ステップＳ１）。これを受けて、管理サーバ３０では、活動量取得部３３１が複数の医療従事者の活動量を取得するとともに、位置情報取得部３３２がこれら医療従事者の位置情報を取得する（ステップＳ２）。次いで、候補者絞込部３３３は、前述した式１および表１から表３に基づいて、医療従事者の優先度を算出し、優先度の高い医療従事者を候補者として絞り込む（ステップＳ３）。
【００５０】
以下の表４に、相互確認要求者が新人である場合に、式１および表１から表３に基づいて算出した優先度の一例を示す。この例では、医療従事者Ｅの優先度が最も高い。また、医療従事者Ｄの優先度が２番目に高く、医療従事者Ｃの優先度が３番目に高い。
【００５１】
【表４】
2016181131.tif 000006
【００５２】
以下の表５に、相互確認要求者がベテランである場合に算出した優先度の一例を示す。
医療従事者Ａは、相互確認要求者が新人である場合、表４に示すように優先度がゼロで候補対象外であったが、相互確認要求者がベテランの場合、表５に示すように優先度が３番目に高くなる。
【００５３】
【表５】
2016181131.tif 000007
【００５４】
図３に戻り、受入確認部３３４は、携帯端末４０を介して、優先度が高い複数の候補者に相互確認要求を受け入れるか否かを確認する（ステップＳ４）。上記例の場合、受入確認部３３４は、医療従事者Ｅおよび医療従事者Ｃに相互確認要求を受け入れるか否かを確認する。この際、受入確認部３３４は、回答待ちタイマを起動させ（ステップＳ５）、所定時間経過しても相互確認要求者および候補者から回答が送られてこない場合、回答がなかった医療従事者を除いて、再度ステップＳ２から処理を行う。
【００５５】
一方、ステップＳ４に対して、いずれの候補者とも相互確認要求を受け入れられないとの返信をしてきた場合（ステップＳ６）、候補者絞込部３３３は、これらの医療従事者を除いて、再度候補者を絞り込む（ステップＳ７）。これを受けて、受入確認部３３４は、当該候補者に相互確認要求を受け入れるか否かを確認する（ステップＳ８）。この際、受入確認部３３４は、回答待ちタイマを起動させる（ステップＳ９）。そして、候補者が相互確認要求を受け入れると返信してきた場合（ステップＳ１０）、候補者通知部３３５は、相互確認要求者に当該候補者を通知する（ステップＳ１１）。一方、所定時間経過しても相互確認要求者および候補者から回答が送られてこない場合、ステップＳ２に戻り、回答がなかった医療従事者を除いて再度候補者を絞り込む。
【００５６】
続いて、図４において、相互確認要求者が管理サーバ３０から連絡を受けた候補者の携帯端末４０にアクセスすると（ステップＳ１２）、候補者がこれに応答する（ステップＳ１３）。これにより、相互確認要求者および候補者は、相互確認要求者の携帯端末４０で取得された画像および音声を共有できるようになる。その後、相互確認要求者および候補者は、それぞれの携帯端末４０を介して管理サーバ３０に薬剤の投与量を問い合わせる（ステップＳ１４）。これを受けて、管理サーバ３０は、院内サーバ２０に薬剤の投与量を問い合わせる（ステップＳ１５）。院内サーバ２０は、記憶された処方箋から薬剤の投与量を管理サーバ３０に送信し、管理サーバ３０は、当該投与量を相互確認要求者および候補者の携帯端末４０に送信する（ステップＳ１６）。
【００５７】
その後、相互確認要求者および候補者は、管理サーバ３０から受信した投与量を参照しつつ、相互確認を実行する（ステップＳ１７）。すなわち、相互確認要求者は、その場にある薬剤およびその量が、管理サーバ３０から受信した薬剤および投与量に合致するか目視で確認する。一方、候補者は、相互確認要求者の携帯端末４０から送られてきた画像を見て、相互確認要求者が投与しようとしている薬剤およびその量が、管理サーバ３０から受信した薬剤および投与量に合致するか確認する。
【００５８】
この間、確認結果要求部３３６は、連絡待ちタイマを起動させ（ステップＳ１８）、所定時間経過しても相互確認要求者および候補者の少なくとも一方から確認結果が送られてこない場合、確認結果を送り返すように要求する（ステップＳ１９）。この際、携帯端末４０は、警報を発したり、バイブレーション動作を行ったりすることで、相互確認要求者および候補者に確認結果が送られていないことを知らせる。相互確認要求者および候補者は、この確認結果要求を受けて、または確認結果要求を受ける前に、それぞれの携帯端末４０を介して確認結果を管理サーバ３０に連絡する（ステップＳ２０）。管理サーバ３０は、相互確認要求者および候補者の双方から問題ない旨の確認結果を受信した場合、相互確認が問題なく行われたと判断し、処理制御部３３により相互確認結果をログ情報として記憶部３２に記憶させる（ステップＳ２１）。
【００５９】
以上のような本実施形態によれば、次のような効果がある。
すなわち、相互確認を依頼する候補者を複数の医療従事者から絞り込み、当該候補者を相互確認要求者の携帯端末４０に通知するため、相互確認要求者は、候補者の絞込作業から解放され、候補者の携帯端末４０にアクセスするだけで相互確認を依頼することができる。従って、医療行為に対する医療従事者間の相互確認を支援することができる。
【００６０】
また、従事者情報に医療従事者の活動量が含まれるため、当該活動量を考慮して候補者を絞り込むことができる。このため、活動量が多く、忙しそうな医療従事者を候補者から外しやすくすることができる。
【００６１】
また、従事者情報に医療従事者の位置情報が含まれるため、医療従事者がいる場所を考慮して候補者を絞り込むことができる。このため、病室で患者への医療行為や観察を行っているような医療従事者を候補者から外しやすくすることができる。
【００６２】
また、候補者の携帯端末４０に相互確認要求を受け入れるか否かを確認させるため、相互確認要求を受け入れる状況にない候補者に相互確認を依頼してしまうことを防止することができる。
【００６３】
また、候補者から相互確認要求を受け入れないとの回答があった場合、再度候補者を絞り込むため、候補者を確実に絞り込むことができる。
【００６４】
また、相互確認要求者および候補者のそれぞれの携帯端末４０に医療行為情報を送信するため、相互確認要求者および候補者は、医療行為情報を確認しながら確認を行うことができる。このため、相互確認の精度を確実なものとすることができる。
【００６５】
また、確認結果が送られてこない場合、確認結果を送り返すように要求するため、相互確認要求者および候補者に確実に確認を行わせることができる。
【００６６】
また、相互確認要求者および候補者の確認結果を記憶部３２に記憶させるため、記憶された情報を交代勤務の引継ぎ、適切な人員配置、教育訓練資料等に活用することができる。
【００６７】
なお、本発明は前述の実施形態に限定されるものではなく、本発明の目的を達成できる範囲での変形、改良等は本発明に含まれる。
例えば、相互確認支援システム１０は、管理サーバ３０を備えずに、院内サーバ２０に管理サーバ３０の機能を持たせ、院内サーバ２０と携帯端末４０とで前記実施形態の処理を行うようにしてもよい。
【００６８】
位置情報取得部３３２は、携帯端末４０がＧＰＳ機能を有している場合、当該ＧＰＳ機能を用いて位置情報を取得してもよい。
また、活動量取得部３３１は、携帯端末４０の移動軌跡から活動量を算出するようにしてもよい。
【００６９】
候補者絞込部３３３は、医療従事者がいる場所、業務経験年数、活動量のいずか１つまたは２つのみを考慮して、候補者を絞り込んでもよい。
また、候補者絞込部３３３は、医療従事者がいる場所、業務経験年数、活動量にかえて、またはこれら３つに加えて、他の要素を考慮してもよく、例えば、相互確認の実施回数、婦長等の役職、看護師や准看護師等の資格、これまでのミスの頻度等を考慮して、候補者を絞り込んでもよい。
さらに、候補者絞込部３３３は、候補者を１人にまたは３人以上に絞り込んでもよいし、優先度が所定値以上の医療従事者のみを候補者として絞り込んでもよい。
【００７０】
受入確認部３３４は、優先度の高い１人の候補者に相互確認要求を受け入れるか否かを確認してもよいし、３人以上の候補者に相互確認要求を受け入れるか否かを確認してもよい。
【００７１】
携帯端末４０は、例えば、リストバンドタイプ、腕時計タイプ、指輪タイプその他のウェアラブル端末、携帯電話、スマートフォン、タブレット端末等であってもよい。
【符号の説明】
【００７２】
１０    相互確認支援システム
３０    管理サーバ
３２    記憶部
４０    携帯端末
３３１  活動量取得部
３３２  位置情報取得部
３３３  候補者絞込部
３３４  受入確認部
３３５  候補者通知部
３３６  確認結果要求部
４７１  医療行為情報取得部
【図１】
2016181131.tif 000008
【図２】
2016181131.tif 000009
【図３】
2016181131.tif 000010
【図４】
2016181131.tif 000011